(57)【要約】  【課題】  ユーザの運動の継続に対して効果的な動機を与えることができ、かつ、歩数等の行動情報及び体重等の身体情報を継続的に管理することを支援できる健康管理支援システムを提供する。  【解決手段】  複数のユーザに割り当てられ、各々が、携帯可能な、ユーザの歩数を計測及び記録する複数の歩数計９と、複数のユーザの体重を計測する体重計１１および血圧を計測する血圧計１７と、複数の歩数計９のうち、アクティブなものから当該歩数計９の識別情報を受け付けて、その識別情報でログインを許可するカートリッジ３と、を備える。カートリッジ３は、ログイン後に、歩数計９、体重計１１及び血圧計１７から、歩数、体重及び血圧を取得して、ログインを許可されたユーザの情報として記録する。【選択図】  図１
2010211396.tif 000002
【特許請求の範囲】
【請求項１】
複数のユーザに割り当てられ、各々が、携帯可能な、前記ユーザの行動情報を計測及び記録する複数の行動情報計測手段と、
前記複数のユーザの身体情報を計測する身体情報計測手段と、
前記複数の行動情報計測手段のうち、アクティブな前記行動情報計測手段から当該行動情報計測手段の識別情報を受け付けて、少なくともその識別情報でログインを許可するログイン手段と、
ログイン後に、前記身体情報計測手段から、前記身体情報を取得する取得手段と、
取得した前記身体情報を、ログインを許可された前記行動情報計測手段のユーザの情報として記録する記録手段と、を備えた健康管理支援システム。
【請求項２】
前記身体情報計測手段は、各々が、前記ユーザの異なる複数の前記身体情報を測定する複数の測定手段を含み、
前記取得手段は、ログイン後に、前記複数の測定手段のうち、アクティブな前記測定手段から、前記身体情報を取得する、請求項１記載の健康管理支援システム。
【請求項３】
前記取得手段は、ログイン後に、前記行動情報計測手段がアクティブな場合は当該行動情報計測手段から前記行動情報を取得し、前記身体情報計測手段がアクティブな場合は当該身体情報計測手段から前記身体情報を取得し、
前記記録手段は、前記取得手段が前記行動情報を取得した場合当該行動情報をログインが許可された前記ユーザの情報として記録する、請求項１又は２記載の健康管理支援システム。
【請求項４】
前記ユーザの動きを検出する動き検出手段をさらに備え、
前記取得手段は、ログイン後に、前記行動情報計測手段がアクティブな場合は当該行動情報計測手段から前記行動情報を取得し、前記身体情報計測手段がアクティブな場合は当該身体情報計測手段から前記身体情報を取得し、前記動き検出手段がアクティブな場合は当該動き検出手段から前記ユーザの動き情報を取得し、
前記記録手段は、前記取得手段が前記行動情報を取得した場合当該行動情報をログインが許可された前記ユーザの情報として記録する、請求項１又は２記載の健康管理支援システム。
【請求項５】
前記取得手段は、ログインを許可する際に、前記行動情報計測手段から前記行動情報を取得し、
前記記録手段は、前記取得手段が取得した前記行動情報をログインが許可された前記ユーザの情報として記録する、請求項１又は２記載の健康管理支援システム。
【請求項６】
前記ユーザの動きを検出する動き検出手段をさらに備え、
前記取得手段は、ログイン後に、前記身体情報計測手段がアクティブな場合は当該身体情報計測手段から前記身体情報を取得し、前記動き検出手段がアクティブな場合は当該動き検出手段から前記ユーザの動き情報を取得する、請求項５記載の健康管理支援システム。
【請求項７】
ログインを許可された前記ユーザに関する、前記記録手段が記録した情報を、当該ログイン後に、表示装置に表示する第１表示制御手段をさらに備える請求項１から６のいずれかに記載の健康管理支援システム。
【請求項８】
前記動き検出手段によって検出された、ログインを許可された前記ユーザの動き情報に従って、インタラクティブな映像を表示装置に表示する第２表示制御手段をさらに備える請求項４又は６記載の健康管理支援システム。
【請求項９】
前記記録手段が記録した情報をネットワークに接続された第１サーバに当該ネットワークを介して送信する送信手段をさらに備える請求項１から８のいずれかに記載の健康管理支援システム。
【請求項１０】
前記ネットワークを介して第２サーバから送信された前記ユーザ宛の情報を受信する受信手段と、
前記ユーザがログインした後に、当該ユーザ宛の情報を表示装置に表示する第３表示制御手段と、をさらに備える請求項９記載の健康管理支援システム。
【請求項１１】
端末に接続された入力手段と、
前記端末に対して、運動処方を送信するサーバと、
前記端末が受信した前記運動処方及び所定の操作指示を表示装置に表示する表示制御手段と、
前記所定の操作指示に従った操作を受け付けた場合に、エクササイズモードに入るエクササイズ開始手段と、
前記エクササイズモードにおいて、ユーザの操作に応じた前記入力手段からの入力に応じて、前記運動処方に従ったインタラクティブな映像を表示するエクササイズ処理手段と、を備える運動支援システム。
【請求項１２】
前記サーバは、
前記端末から送信された前記ユーザの行動情報及び／又は身体情報を受信する受信手段と、
受信した前記行動情報及び／又は前記身体情報を前記ユーザと関連付けて記録する記録手段と、を含む請求項１２記載の運動支援システム。
【請求項１３】
所定の情報を受け付けて、ユーザにログインを許可するログイン手段と、
ログイン時又はログイン後に入力された、当該ログインを許可された前記ユーザの行動情報及び／又は身体情報を記録する記録手段と、
ログインを許可された前記ユーザの前記行動情報及び／又は前記身体情報を、ログイン後に表示装置に表示する表示制御手段と、を備え、
前記表示制御手段は、ログイン後に、当該ログインを許可された前記ユーザ以外のユーザの行動情報及び／又は身体情報を匿名で前記表示装置に表示する、情報表示装置。
【発明の詳細な説明】
【技術分野】
【０００１】
本発明は、ユーザの運動の継続の支援、並びに、歩数等の行動情報及び体重等の身体情報を管理する健康管理支援システム及びその関連技術に関する。
【０００２】
また、本発明は、映像を利用して、ユーザが継続的に運動を行うことを支援する運動支援システム及びその関連技術に関する。
【０００３】
さらに、本発明は、各個人のプライバシーを確保しながら、他人との相対的な、本人の状態を確認できる情報表示装置及びその関連技術に関する。
【背景技術】
【０００４】
特許文献１に開示された健康管理支援システムは、人体の活動量を測定する活動量計と、血圧計と、体重計と、を含む。これらの計測装置は、計測結果をネットワーク経由でサーバへ送信する。サーバは、これらの測定結果を記憶する。そして、医師の端末は、サーバに記録された測定結果を閲覧可能である。これにより、医師は、血圧や体重を被検者の活動量と関連付け把握することでき、より的確な病気の治療や健康アドバイスを行うことができる。
【先行技術文献】
【特許文献】
【０００５】
【特許文献１】特開２００６−２５４９４８号公報
【発明の概要】
【発明が解決しようとする課題】
【０００６】
しかしながら、的確なアドバイスが医師から届いたとしても、被験者がその指示に従って運動を行わなければ、実質的にこのシステムの実効はない。重病ならまだしも、健康目的であれば、医師のアドバイスに従って運動を継続的に行える人は稀である。
【０００７】
そこで、本発明は、ユーザの運動の継続に対して効果的な動機を与えることができ、かつ、歩数等の行動情報及び体重等の身体情報を継続的に管理することを支援できる健康管理支援システム及びその関連技術を提供することを目的とする。
【０００８】
また、本発明の他の目的は、従来に比べて、ユーザによる運動の継続を効果的に支援できる運動支援システム及びその関連技術を提供することを目的とする。
【０００９】
さらに、本発明の他の目的は、競争心を高め、運動を行うことに対する動機や体重等の身体情報を適切に管理することに対する動機を与えることができる情報表示装置及びその関連技術に関する。
【課題を解決するための手段】
【００１０】
本発明の第１の観点によれば、健康管理支援システムは、複数のユーザに割り当てられ、各々が、携帯可能な、前記ユーザの行動情報を計測及び記録する複数の行動情報計測手段と、前記複数のユーザの身体情報を計測する身体情報計測手段と、前記複数の行動情報計測手段のうち、アクティブな前記行動情報計測手段から当該行動情報計測手段の識別情報を受け付けて、少なくともその識別情報でログインを許可するログイン手段と、ログイン後に、前記身体情報計測手段から、前記身体情報を取得する取得手段と、取得した前記身体情報を、ログインを許可された前記行動情報計測手段のユーザの情報として記録する記録手段と、を備える。
【００１１】
この構成によれば、各ユーザにログインさせ、ユーザごとに体重等の身体情報を記録する。このように、ログインすることにより各ユーザのプライバシーが確保されるので、本システムとユーザとのインタフェース（身体情報計測手段を含む。）を公共の場（例えば、職場、病院、及び福祉施設等といった事業所の休憩室、自動販売機の前、あるいはトイレの入り口等）に配置できる。従って、身体情報を測定するためだけに、インタフェースの設置場所に赴く必要がなく、また、時間を確保する必要もない。つまり、何かのついでに測定が可能であり、煩わしさを極力除くことができる。さらに、一日に複数回通るような公共の場に設置すれば、ユーザにとって一日に複数回測定することも容易に可能であり、サンプリング数が増加して、身体情報の管理をより精細に行うことができる。
【００１２】
ちなみに、各ユーザの個人宅にインタフェースを設置する場合、例えば、テレビを見ながらの測定など、何かをしながら測定するケースは想定できるが、テレビを見ている途中に別のことをしようという気になれないのが通常であり、また、家のスペース等を考慮すると、廊下に設置して別の部屋へ行く途中で測定する等、何かのついでに測定するケースを想定することは難しい。
【００１３】
さて、しかも、本発明によれば、職場の同僚、患者同士、あるいは入所者同士といった知人・友人が同一場所で身体情報を測定できるので、同じ条件（環境などの物理的な条件を含む。）及び内容で健康管理を行っているという一体感が高まり、また、他人が測定する様子が目に入るので、自分が測定することに対する動機ともなる。
【００１４】
さらに、各ユーザは、自分の行動情報計測手段を用いてログインするので、必然的に自分の行動情報の記録をインタフェースの設置場所に持って行くことになる。このため、身体情報だけでなく、行動情報もまた、ついで、かつ、手軽に記録手段に記録させ管理することができる。このように、行動情報を記録し、管理することは、行動情報の発生に必要な歩行等の運動を行うことに対する動機となる。
【００１５】
以上のように、本発明によれば、ユーザの運動の継続に対して効果的な動機を与えることができ、かつ、歩数等の行動情報及び体重等の身体情報を継続的に管理することを支援できる健康管理支援システム及びその関連技術を提供することを目的とする。
【００１６】
ここで、公共の場とは、複数人が出入りできる場所を意味し、特定の者の出入りのみが許可されている場合等、入退出制限の有無は関係ない。
【００１７】
この健康管理支援システムにおいて、前記身体情報計測手段は、各々が、前記ユーザの異なる複数の前記身体情報を測定する複数の測定手段を含み、前記取得手段は、ログイン後に、前記複数の測定手段のうち、アクティブな前記測定手段から、前記身体情報を取得する。
【００１８】
この構成によれば、複数の異なる身体情報を継続的に管理することを支援できる。
【００１９】
上記健康管理支援システムにおいて、前記取得手段は、ログイン後に、前記行動情報計測手段がアクティブな場合は当該行動情報計測手段から前記行動情報を取得し、前記身体情報計測手段がアクティブな場合は当該身体情報計測手段から前記身体情報を取得し、前記記録手段は、前記取得手段が前記行動情報を取得した場合当該行動情報をログインが許可された前記ユーザの情報として記録する。
【００２０】
この構成によれば、ログイン後に、行動情報の転送を行う。
【００２１】
また、一方、上記健康管理支援システムは、前記ユーザの動きを検出する動き検出手段をさらに備え、前記取得手段は、ログイン後に、前記行動情報計測手段がアクティブな場合は当該行動情報計測手段から前記行動情報を取得し、前記身体情報計測手段がアクティブな場合は当該身体情報計測手段から前記身体情報を取得し、前記動き検出手段がアクティブな場合は当該動き検出手段から前記ユーザの動き情報を取得し、前記記録手段は、前記取得手段が前記行動情報を取得した場合当該行動情報をログインが許可された前記ユーザの情報として記録してもよい。
【００２２】
この構成によれば、動き検出手段によりユーザの動きを検出できるので、その動きを入力としたインタラクティブなコンテンツを提供でき、インタフェース（動き検出手段を含む。）の設置場所でユーザに運動を行わせることができる。
【００２３】
さらに、一方、上記健康管理支援システムにおいて、前記取得手段は、ログインを許可する際に、前記行動情報計測手段から前記行動情報を取得し、前記記録手段は、前記取得手段が取得した前記行動情報をログインが許可された前記ユーザの情報として記録してもよい。
【００２４】
この構成によれば、ログイン時に行動情報の転送を行うので、ログインと行動情報の転送とを別個に行う必要がなく、ユーザの利便性を向上できる。
【００２５】
この健康管理支援システムは、前記ユーザの動きを検出する動き検出手段をさらに備え、前記取得手段は、ログイン後に、前記身体情報計測手段がアクティブな場合は当該身体情報計測手段から前記身体情報を取得し、前記動き検出手段がアクティブな場合は当該動き検出手段から前記ユーザの動き情報を取得する。
【００２６】
この構成によれば、動き検出手段によりユーザの動きを検出できるので、その動きを入力としたインタラクティブなコンテンツを提供でき、インタフェース（動き検出手段を含む。）の設置場所でユーザに運動を行わせることができる。
【００２７】
上記健康管理支援システムは、ログインを許可された前記ユーザに関する、前記記録手段が記録した情報を、当該ログイン後に、表示装置に表示する第１表示制御手段をさらに備える。
【００２８】
この構成によれば、グラフ表示等によって、行動情報及び身体情報を簡易に確認できる。
【００２９】
上記健康管理支援システムは、前記動き検出手段によって検出された、ログインを許可された前記ユーザの動き情報に従って、インタラクティブな映像を表示装置に表示する第２表示制御手段をさらに備えることができる。
【００３０】
この構成によれば、インタフェース（動き検出手段を含む。）の設置場所でユーザに運動を行わせることができる。
【００３１】
上記健康管理支援システムは、前記記録手段が記録した情報をネットワークに接続された第１サーバに当該ネットワークを介して送信する送信手段をさらに備える。
【００３２】
この構成によれば、各ユーザの行動情報及び身体情報が第１サーバに転送されるので、医療や健康等の専門家が、その情報を分析し、該当するユーザに適切な指示、アドバイス、あるいはコメント等を与えることができる。
【００３３】
この健康管理支援システムは、前記ネットワークを介して第２サーバから送信された前記ユーザ宛の情報を受信する受信手段と、前記ユーザがログインした後に、当該ユーザ宛の情報を表示装置に表示する第３表示制御手段と、をさらに備える。
【００３４】
この構成によれば、ユーザは、第１サーバに送った自分の行動情報及び身体情報に関する情報（例えば、指示、アドバイス、あるいはコメント等）を第２サーバから受け取ることができ、それらの管理に役立てることができる。
【００３５】
本発明の第２の観点によれば、運動管理支援システムは、端末に接続された入力手段と、前記端末に対して、運動処方を送信するサーバと、前記端末が受信した前記運動処方及び所定の操作指示を表示装置に表示する表示制御手段と、前記所定の操作指示に従った操作を受け付けた場合に、エクササイズモードに入るエクササイズ開始手段と、前記エクササイズモードにおいて、ユーザの操作に応じた前記入力手段からの入力に応じて、前記運動処方に従ったインタラクティブな映像を表示するエクササイズ処理手段と、を備える。
【００３６】
この構成によれば、ユーザが運動処方を見る時に、エクササイズモードに入ることができるので、運動処方の確認とそれに従った運動の実行とをシームレスに結合できる。その結果、従来に比べて、ユーザによる運動の継続を効果的に支援できる。
【００３７】
ちなみに、従来では、運動処方と運動の実行とが切り離されており、運動処方は見ても、実際に運動をしないというケースが多かった。例えば、ネットワーク経由でユーザの端末に運動処方を送信するが、その運動処方が、５ｋｍのジョギングを指示している場合である。この場合は、ユーザは、運動処方を確認した後、適宜ジョギングをしなければならないが、いつするかは自由なので、結局しないことも多くなる。
【００３８】
この運動管理支援システムにおいて、前記サーバは、前記端末から送信された前記ユーザの行動情報及び／又は身体情報を受信する受信手段と、受信した前記行動情報及び／又は前記身体情報を前記ユーザと関連付けて記録する記録手段と、を含む。
【００３９】
この構成によれば、ユーザの行動情報及び身体情報がサーバに転送されるので、医療や健康等の専門家が、その情報を分析し、該当するユーザに適切な指示やアドバイス等を与えることができる。
【００４０】
本発明の第３の観点によれば、情報表示装置は、所定の情報を受け付けて、ユーザにログインを許可するログイン手段と、ログイン時又はログイン後に入力された、当該ログインを許可された前記ユーザの行動情報及び／又は身体情報を記録する記録手段と、ログインを許可された前記ユーザの前記行動情報及び／又は前記身体情報を、ログイン後に表示装置に表示する表示制御手段と、を備え、前記表示制御手段は、ログイン後に、当該ログインを許可された前記ユーザ以外のユーザの行動情報及び／又は身体情報を匿名で前記表示装置に表示する。
【００４１】
この構成によれば、歩数等の行動情報や体重等の身体情報は、ログイン後にしか表示されないので、基本的にログインしたユーザ本人しか見ることができない。しかし、あるユーザのログイン後であっても、そのユーザは、他のユーザの行動情報や身体情報を匿名で確認できる。その結果、各個人のプライバシーを確保しながら、他人との相対的な、行動情報及び身体情報といった本人の状態を確認できる。このため、競争心が高まり、行動情報の発生に必要な歩行等の運動を行うことに対する動機や体重等の身体情報を適切に管理することに対する動機を与えることができる。
【００４２】
本明細書及び特許請求の範囲において、記録媒体には、例えば、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。
【図面の簡単な説明】
【００４３】
【図１】本発明の実施の形態における健康管理支援システムの全体構成を示す図である。
【図２】（ａ）図１のアダプタ１、カートリッジ３、及びアンテナユニット５の電気的構成を示す図である。（ｂ）図１の歩数計９の電気的構成を示す図である。（ｃ）図１の体重計１１の電気的構成を示す図である。
【図３】（ａ）図１の血圧計１７の電気的構成を示す図である。（ｂ）図１のマット型コントローラ１５の電気的構成を示す図である。
【図４】図２（ａ）のプロセッサ３１による全体処理の流れを示すフローチャートである。
【図５】図２（ａ）のカートリッジ３のプロセッサ３１とアンテナユニット５のＭＣＵ３４と図２（ｂ）のノード（歩数計９のＭＣＵ５３）との間の通信手順（ログイン手順）を示す図である。
【図６】図２（ａ）のカートリッジ３のプロセッサ３１とアンテナユニット５のＭＣＵ３４とノード（図２（ｂ）の歩数計９のＭＣＵ５３、図２（ｃ）の体重計１１のＭＣＵ７３、図３（ａ）の血圧計１７のＭＣＵ９３）との間の通信手順（データ転送手順）を示す図である。
【図７】図４のステップＳ１７のメール処理の流れを示すフローチャートである。
【図８】図２（ａ）のカートリッジ３のプロセッサ３１とアンテナユニット５のＭＣＵ３４とノード（図３（ｂ）のマット型コントローラ１５）との間の通信手順（データ転送手順）を示す図である。
【図９】図１のモニタ７に表示される地図画面１５１の一例を示す図である。
【発明を実施するための形態】
【００４４】
以下、本発明の実施の形態について、図面を参照しながら説明する。なお、図中、同一または相当部分については同一の参照符号を付してその説明を援用する。
【００４５】
図１は、本発明の実施の形態における健康管理支援システムの全体構成を示す図である。図１を参照して、この健康管理システムは、アダプタ１、カートリッジ３、アンテナユニット５、モニタ７、歩数計９、体重計１１、マット型コントローラ１５（以下、「マット１５」と呼ぶ。）、及び血圧計１７を含む。アダプタ１にはカートリッジ３とアンテナユニット５とが装着（電気的に接続）される。モニタ７とカートリッジ３とは、アダプタ１及びケーブル６を介して接続される。従って、カートリッジ３が生成したビデオ信号ＶＤ及びオーディオ信号ＡＵは、アダプタ１及びケーブル６を介してモニタ７に与えられる。本実施の形態では、モニタ７の例としてテレビジョンモニタ７を挙げ、ケーブル６の例としてＡＶケーブルを挙げる。
【００４６】
歩数計９は、ユーザに携帯されて、日々の歩数を計数し記録する。体重計１１は、スイッチ１３が押下されることにより起動して、その上にのったユーザの体重を計測する。マット型コントローラ１５は、一列に並んだ４つのフットスイッチＳＷ１〜ＳＷ４を含み、ユーザの踏み込み動作を検出する。血圧計１７は、ユーザの腕に巻かれるカフ１９を含み、腕にカフ１９を巻いたユーザの血圧を計測する。
【００４７】
本実施の形態では、例えば、カートリッジ３及びアンテナユニット５が装着されたアダプタ１、モニタ７、及び血圧計１７は、公共の場に設けられた台２１の上に置かれる。また、体重計１１及びマット１５は、台２１が設けられた部屋の床面に置かれる。ここで、公共の場とは、複数人が出入りできる場所を意味し、特定の者の出入りのみが許可されている場合等、入退出制限の有無は問わない。例えば、公共の場は、職場、病院、及び福祉施設等といった事業所の休憩室、自動販売機の前、あるいはトイレの入り口等である。
【００４８】
次に、各装置の電気的構成を説明する。
【００４９】
図２（ａ）は、図１のアダプタ１、カートリッジ３、及びアンテナユニット５の電気的構成を示す図である。図２（ｂ）は、図１の歩数計９の電気的構成を示す図である。図２（ｃ）は、図１の体重計１１の電気的構成を示す図である。図３（ａ）は、図１の血圧計１７の電気的構成を示す図である。図３（ｂ）は、図１のマット型コントローラ１５の電気的構成を示す図である。
【００５０】
図２（ａ）を参照して、アダプタ１は、スイッチ部３９を含み、スイッチ部３９の操作信号はプロセッサ３１に入力される。スイッチ部３９は、キャンセルキー、エンターキー及び方向キー（上下左右）を含む（図示せず）。アダプタ１に装着されるカートリッジ３は、プロセッサ３１、外部メモリ３３、無線通信機能付きＭＣＵ３４、ＵＳＢコントローラ３７、及びＲＴＣ（Ｒｅａｌ  Ｔｉｍｅ  Ｃｌｏｃｋ）３５を含む。アダプタ１に装着されるアンテナユニット５は、無線ＬＡＮモジュール４３を含む。アンテナユニット５とカートリッジ３とは、アダプタ１を介して電気的に接続される。
【００５１】
カートリッジ３のプロセッサ３１には、外部メモリ３３が接続される。外部メモリ３３は、ＲＯＭ、ＲＡＭ及び／又はフラッシュメモリ等、システムの仕様に応じて必要なものを備える。外部メモリ３３は、プログラム領域、画像データ領域、および音声データ領域を含む。プログラム領域には、制御プログラムが格納される。画像データ領域には、モニタ７に表示される画面を構成するすべての画像データが格納されている。音声データ領域には、音楽、ボイス及び効果音等のための音声データが格納されている。プロセッサ３１は、プログラム領域の制御プログラムを実行して、画像データ領域の画像データ及び音声データ領域の音声データを読み出し、必要な処理を施して、ビデオ信号ＶＤ及びオーディオ信号ＡＵを生成して、モニタ７に出力する。
【００５２】
また、プロセッサ３１は、制御プログラムを実行して、ＭＣＵ３４に対して、ノード（歩数計９のＭＣＵ５３、体重計１１のＭＣＵ７３、血圧計１７のＭＣＵ９３、及びマット１５のＭＣＵ１１３）と通信して、ユーザの行動情報、身体情報、及び動き情報を取得する命令を出す。ＭＣＵ３４は、プロセッサ３１からの命令を受けて、ノードから、ユーザの行動情報、身体情報、及び動き情報を受信し、復調して、プロセッサ３１に与える。
【００５３】
本実施の形態では、「行動情報」は、運動形態（並足、早足及びラン）及び運動形態毎の回数（歩数）である。ただし、「行動情報」は、運動形態（サーキットトレーニング・ウエイトトレーニング等のトレーニング内容、テニス等のスポーツ内容、身体の各部位の動き、その他の体動の内容・種類）、運動形態毎の回数（例えば、重量挙げの回数等の体動毎の回数）、運動形態毎の開始及び終了（例えば、テニスのプレイの開始及び終了等の体動毎の開始及び終了）、その他の行動に関する情報であってよい。また、「行動情報」は、生活活動情報を含むことができる。「生活活動情報」は、掃除、洗濯及び炊事等の家事の内容、食事（種類、内容及びカロリ等）、運搬、仕事、学校、通勤・移動（自動車・自転車・オートバイ・電車・飛行機・船等の乗り物への乗車を含む。）、及び趣味等、それらの回数、それらの開始及び終了、その他の個々人の日常生活の中で必然的に発生する行動・活動に関する情報を含む。
【００５４】
また、本実施の形態では、「身体情報」は、体重計１１が計測した体重及び血圧計１７が計測した血圧である。ただし、「身体情報」は、身長、腹囲、及びＢＭＩ等の身体のサイズ情報、視力、生活活動強度、体内情報（尿の情報、赤血球数等の赤血球の情報、体脂肪率、γ−ＧＴＰ等の肝機能に関する情報、ＨＤＬコレステロール及び中性脂肪等の脂質代謝の情報、血糖値等の糖代謝の情報、並びに心拍数等）、その他の身体の状態を表す情報を含んでよい。
【００５５】
また、本実施の形態では、「動き情報」は、フットスイッチＳＷ１〜ＳＷ４のオン／オフ情報である。ただし、「動き情報」は、加速度センサからの加速度データに基づいて算出されたユーザの動きを表す情報、カメラにより撮影されたユーザの画像を解析することにより算出されたユーザの動きを表す情報、その他のモーションセンサが検出したユーザの動きを表す情報を含んでよい。
【００５６】
さて、プロセッサ３１は、受信した行動情報、身体情報、及び動き情報を外部メモリ３３に格納する。また、プロセッサ３１は、行動情報及び身体情報をグラフや表等に加工してモニタ７に表示する。さらに、エクササイズモードでは、プロセッサ３１は、マット１５からのユーザの動き情報に応じて、インタラクティブな映像を表すビデオ信号ＶＤを生成してモニタ７に表示する。
【００５７】
また、プロセッサ３１は、制御プログラムを実行して、無線ＬＡＮモジュール４３に対して、ノードから受信した行動情報及び身体情報をサーバ４１へ送信する命令を出す。無線ＬＡＮモジュール４３は、プロセッサ３１からの命令を受けて、ユーザの行動情報及び身体情報を、ネットワーク４０（ＬＡＮやインターネット等を含む。）を介してサーバ４１へ送信する。また、無線ＬＡＮモジュール４３は、ネットワーク４０を介して、サーバ４１からメール等を受け取ることができ、それをプロセッサ３１に与える。そして、プロセッサ３１は、サーバ４１が送信した情報を外部メモリ３３に格納し、ユーザの操作に応じて、モニタ７に表示する。
【００５８】
ＵＳＢコントローラ３７は、パーソナルコンピュータ等のＵＳＢ機器と接続するためのものであり、プロセッサ３１の制御を受けて、外部メモリ３３に格納された行動情報及び身体情報をＵＳＢ機器に転送する。ＲＴＣ３５は、時刻情報を生成して、プロセッサ３１に与える。プロセッサ３１は、必要に応じて、時刻情報をモニタ７に表示する。
【００５９】
プロセッサ３１の内部構成を簡単に説明する。プロセッサ３１は、図示しないが、中央演算処理装置（以下、「ＣＰＵ」と呼ぶ。）、グラフィックスプロセシングユニット（以下、「ＧＰＵ」と呼ぶ。）、サウンドプロセシングユニット（以下、「ＳＰＵ」と呼ぶ。）、ジオメトリエンジン（以下、「ＧＥ」と呼ぶ。）、外部インタフェースブロック、メインＲＡＭ、及びＡ／Ｄコンバータ（以下、「ＡＤＣ」と呼ぶ。）などを具備する。
【００６０】
ＣＰＵは、外部メモリ３３に格納されたプログラムを実行して、各種演算やシステム全体の制御を行う。グラフィックス処理に関するＣＰＵの処理として、外部メモリ３３に格納されたプログラムを実行して、各オブジェクトの拡大・縮小、回転、及び／又は平行移動のパラメータ、視点座標（カメラ座標）、並びに視線ベクトルの算出等を行う。ここで、１または複数のポリゴン又はスプライトから構成され、同じ拡大・縮小、回転、及び平行移動の変換が適用される単位を「オブジェクト」と呼ぶ。
【００６１】
ＧＰＵは、ポリゴン及びスプライトから構成される三次元イメージをリアルタイムに生成し、アナログのコンポジットビデオ信号ＶＤに変換する。ＳＰＵは、ＰＣＭ（ｐｕｌｓｅ  ｃｏｄｅ  ｍｏｄｕｌａｔｉｏｎ）波形データ、アンプリチュードデータ、及びメインボリュームデータを生成し、これらをアナログ乗算して、アナログオーディオ信号ＡＵを生成する。ＧＥは、三次元イメージを表示するための幾何演算を実行する。具体的には、ＧＥは、行列積、ベクトルアフィン変換、ベクトル直交変換、透視投影変換、頂点明度／ポリゴン明度計算（ベクトル内積）、及びポリゴン裏面カリング処理（ベクトル外積）などの演算を実行する。
【００６２】
外部インタフェースブロックは、周辺装置（本実施の形態ではＭＣＵ３４、ＵＳＢコントローラ３７、ＲＴＣ３５、無線ＬＡＮモジュール４３、及びスイッチ部３９）とのインタフェースであり、２４チャンネルのプログラマブルなデジタル入出力（Ｉ／Ｏ）ポートを含む。ＡＤＣは、４チャンネルのアナログ入力ポートに接続され、これらを介して、アナログ入力装置から入力されたアナログ信号をデジタル信号に変換する。メインＲＡＭは、ＣＰＵのワーク領域、変数格納領域、および仮想記憶機構管理領域等として利用される。
【００６３】
図２（ｂ）を参照して、歩数計９は、無線通信機能付きＭＣＵ５３、ＥＥＰＲＯＭ５５、加速度センサ５１、ＬＣＤドライバ５９、ＬＣＤ６３、ＲＴＣ６１及びスイッチ部５７を含む。スイッチ部５７は、決定ボタン、キャンセルボタン及び方向キーを含む（図示せず）。加速度センサ５１は、互いに直交する３軸（ｘ，ｙ，ｚ）それぞれの方向の加速度ａｘ，ａｙ及びａｚを検出する。
【００６４】
ＭＣＵ５３は、歩数計モードにおいて、加速度センサ５１からの加速度データに基づいて、ユーザの歩数を計数し、ＲＴＣ６１が生成した時刻情報（日付を含む。）と関連付けてＥＥＰＲＯＭ５５に格納すると共に、ＬＣＤドライバ５９に与える。ＬＣＤドライバ５９は、受け取った歩数データをＬＣＤ６３に表示する。
【００６５】
また、ＭＣＵ５３は、歩数計モードにおいて、決定ボタンの操作に応答して、ＬＣＤドライバ５９を制御し、ＬＣＤ６３の表示を切り替える。さらに、ＭＣＵ５３は、歩数計モードにおいて、決定ボタンとキャンセルボタンとが同時に押された場合に、通信モードに移行する。ＭＣＵ５３は、通信モードにおいて、歩数計モードでＥＥＰＲＯＭ５５に格納された歩数データを、カートリッジ３のＭＣＵ３４に送信する。ＬＣＤドライバ５９は、ＲＴＣ６１から時刻情報を受け取って、ＬＣＤ６３に表示する。ＲＴＣ６１は、時刻情報を生成する。
【００６６】
このような構成の歩数計９が複数台用意され、複数のユーザに配布される。なお、各歩数計９には、ユニークな識別情報（後述のノードＩＤ）が割り当てられ格納されている。
【００６７】
図２（ｃ）を参照して、体重計１１は、体重測定部７１、通信機能付きＭＣＵ７３、ＥＥＰＲＯＭ７５、ＲＴＣ７７、スイッチ部７９、及びＬＣＤ８１を含む。スイッチ部７９は、図１のスイッチ１３を含む。スイッチ１３の押下に応答して、体重測定部７１は、体重計１１にのったユーザの体重を測定し、デジタルデータに変換して、ＭＣＵ７３に与えると共に、体重値をＬＣＤ６３に表示する。ＭＣＵ７３は、受け取った体重値をＥＥＰＲＯＭ５５に格納する。この場合、ＭＣＵ７３は、ＲＴＣ７７が生成した時刻情報（日付を含む。）と関連付けて体重値を格納する。また、ＭＣＵ５３は、ＥＥＰＲＯＭ７５に格納した時刻情報と関連付けられた体重値をカートリッジ３のＭＣＵ３４に送信する。
【００６８】
図３（ａ）を参照して、血圧計１７は、血圧測定部９１、通信機能付きＭＣＵ９３、ＥＥＰＲＯＭ９５、ＲＴＣ９７、スイッチ部９９、及びＬＣＤ１０１を含む。スイッチ部９９の所定スイッチ（図示せず）の押下に応答して、血圧測定部９１は、腕にカフ１９を巻いたユーザの血圧を測定し、デジタルデータに変換して、ＭＣＵ９３に与えると共に、血圧値をＬＣＤ１０１に表示する。ＭＣＵ９３は、受け取った血圧値をＥＥＰＲＯＭ９５に格納する。この場合、ＭＣＵ９３は、ＲＴＣ９７が生成した時刻情報（日付を含む。）と関連付けて血圧値を格納する。また、ＭＣＵ９３は、ＥＥＰＲＯＭ９５に格納した時刻情報と関連付けられた血圧値をカートリッジ３のＭＣＵ３４に送信する。
【００６９】
図３（ｂ）を参照して、マット１５は、無線通信機能付きＭＣＵ１１３及びフットスイッチ部１１５を含む。フットスイッチ部１１５は、フットスイッチＳＷ１〜ＳＷ４を含む。エクササイズモードにおいて、ＭＣＵ１１３は、フットスイッチＳＷ１〜ＳＷ４のオン／オフ情報を一定時間間隔でカートリッジ３のＭＣＵ３４に送信する。
【００７０】
次に、処理の流れをフローチャートを用いて説明する。
【００７１】
図４は、図２（ａ）のプロセッサ３１による全体処理の流れを示すフローチャートである。図４を参照して、ステップＳ１にて、プロセッサ３１は、モニタ７にトップ画面を表示する。ユーザが、歩数計９に対して所定操作を行うと、歩数計９は、その識別情報をプロセッサ３１に送信する。プロセッサ３１は、ステップＳ３にて、歩数計９から識別情報を受信したか否かを判断し、受信していない場合ステップＳ１に戻り、受信した場合、当該歩数計９のユーザにログインを許可して、ステップＳ５に進む。ステップＳ５にて、プロセッサ３１は、受信した識別情報に関連付けられたユーザのためのエントランス画面をモニタ７に表示する。エントランス画面は、例えば、体重アイコン、血圧アイコン、歩数アイコン、メールアイコン、記録アイコン、ウォーキングアイコン、ログアウトアイコン、選択アイコン、及び決定アイコンを含む。
【００７２】
ユーザは、アダプタ１のキャンセルキー、エンターキー及び方向キーを操作して、エントランス画面に表示された所望のアイコンを選択する。ステップＳ７にて、プロセッサ３１は、これらのキーからのオン／オフ情報を受けて、どのアイコンが選択されたかを判断し、対応する処理を実行する。
【００７３】
つまり、プロセッサ３１は、ログアウトアイコンが選択された場合、ステップＳ９に進む。ステップＳ９では、プロセッサ３１は、ログアウトのための処理を実行し、ステップＳ１に進んで、トップ画面を表示する。プロセッサ３１は、体重アイコンが選択された場合、ステップＳ１１に進む。ステップＳ１１では、プロセッサ３１は、外部メモリ３３に格納した体重値をグラフ化（例えば、折線グラフ）してモニタ７に表示する。そして、アダプタ１のキャンセルキーの押下に応答して、ステップＳ５に戻り、エントランス画面を表示する。
【００７４】
例えば、ステップＳ１１で表示するグラフは、体重値の一時間表示、一日表示、及び一週間表示といった三種類が作成され、ユーザのアダプタ１のキー操作に従って、切り替えて表示される。一時間表示では、横軸は一時間を単位とした時間軸（１日分）、縦軸は体重値を示す。また、グラフ上にカーソルが表示され、アダプタ１のキーの操作に従って、横軸の一時間を単位として、水平方向に移動する。そして、カーソルが位置する時間の体重値とＢＭＩ（Ｂｏｄｙ  Ｍａｓｓ  Ｉｎｄｅｘ）とが、画面下部領域に表示される。一日表示では、横軸は一日を単位とした時間軸（１週間分）、縦軸は体重値を示す。また、グラフ上にカーソルが表示され、アダプタ１のキーの操作に従って、横軸の一日を単位として、水平方向に移動する。そして、カーソルが位置する日の体重値とＢＭＩとが、画面下部領域に表示される。一週間表示では、横軸は一日を単位とした時間軸（１月分）、縦軸は体重値を示す。また、グラフ上にカーソルが表示され、アダプタ１のキーの操作に従って、横軸の一週間を単位として、水平方向に移動する。そして、カーソルが位置する週の体重値の平均とＢＭＩの平均とが、画面下部領域に表示される。
【００７５】
さて、プロセッサ３１は、ステップＳ７で血圧アイコンが選択されたと判断した場合、ステップＳ１３に進む。ステップＳ１３では、プロセッサ３１は、外部メモリ３３に格納した血圧値（最高血圧、最低血圧）をグラフ化（例えば、折線グラフ）してモニタ７に表示する。そして、アダプタ１のキャンセルキーの押下に応答して、ステップＳ５に戻り、エントランス画面を表示する。
【００７６】
例えば、ステップＳ１３で表示するグラフは、血圧値の一時間表示、一日表示、及び一週間表示といった三種類が作成され、ユーザのアダプタ１のキー操作に従って、切り替えて表示される。一時間表示では、横軸は一時間を単位とした時間軸（１日分）、縦軸は血圧を示す。また、グラフ上にカーソルが表示され、アダプタ１のキーの操作に従って、横軸の一時間を単位として、水平方向に移動する。そして、カーソルが位置する時間の最高血圧と最低血圧とが、画面下部領域に表示される。一日表示では、横軸は一日を単位とした時間軸（１週間分）、縦軸は血圧を示す。また、グラフ上にカーソルが表示され、アダプタ１のキーの操作に従って、横軸の一日を単位として、水平方向に移動する。そして、カーソルが位置する日の最高血圧と最低血圧とが、画面下部領域に表示される。一週間表示では、横軸は一日を単位とした時間軸（１月分）、縦軸は血圧を示す。また、グラフ上にカーソルが表示され、アダプタ１のキーの操作に従って、横軸の一週間を単位として、水平方向に移動する。そして、カーソルが位置する週の最高血圧の平均と最低血圧の平均とが、画面下部領域に表示される。
【００７７】
さて、プロセッサ３１は、ステップＳ７で歩数アイコンが選択されたと判断した場合、ステップＳ１５に進む。ステップＳ１５では、プロセッサ３１は、外部メモリ３３に格納した歩数をグラフ化（例えば、棒グラフ）してモニタ７に表示する。そして、アダプタ１のキャンセルキーの押下に応答して、ステップＳ５に戻り、エントランス画面を表示する。
【００７８】
例えば、ステップＳ１３で表示するグラフは、歩数の一時間表示、一日表示、及び一週間表示といった三種類が作成され、ユーザのアダプタのキー操作に従って、切り替えて表示される。この場合、運動形態（並足、早足及びラン）毎の歩数が棒グラフで色分けして示される。例えば、棒グラフの各バーは、三色に色分けされており、それぞれ、運動形態を示す。
【００７９】
一時間表示では、横軸は一時間を単位とした時間軸（１日分）、縦軸は歩数を示す。また、グラフ上にカーソルが表示され、アダプタ１のキーの操作に従って、横軸の一時間を単位として、水平方向に移動する。そして、カーソルが位置する時間の歩数と消費カロリが画面下部領域に表示される。一日表示では、横軸は一日を単位とした時間軸（１週間分）、縦軸は歩数を示す。また、グラフ上にカーソルが表示され、アダプタ１のキーの操作に従って、横軸の一日を単位として、水平方向に移動する。そして、カーソルが位置する日の歩数と消費カロリが、画面下部領域に表示される。一週間表示では、横軸は一日を単位とした時間軸（１月分）、縦軸は歩数を示す。また、グラフ上にカーソルが表示され、アダプタ１のキーの操作に従って、横軸の一週間を単位として、水平方向に移動する。そして、カーソルが位置する週の歩数と消費カロリが、画面下部領域に表示される。
【００８０】
さて、プロセッサ３１は、ステップＳ７でメールアイコンが選択されたと判断した場合、ステップＳ１７に進む。ステップＳ１７では、プロセッサ３１は、外部メモリ３３に格納したメールリストを読み出してモニタ７に表示する。そして、アダプタ１のキーの操作に従って、メールリストから選択されたメールの内容をモニタ７に表示する。また、アダプタ１のキャンセルキーの押下に応答して、ステップＳ５に戻り、エントランス画面を表示する。なお、ステップＳ１７の詳細は後述する。
【００８１】
また、プロセッサ３１は、ステップＳ７で記録アイコンが選択されたと判断した場合、ステップＳ１９に進む。ステップＳ１９では、プロセッサ３１は、カレンダをモニタ７に表示する。そして、アダプタ１のキーの操作に従って、カレンダから選択された日の体重、血圧、及び歩数を外部メモリ３３から読み出してモニタ７に表示する。また、アダプタ１のキャンセルキーの押下に応答して、ステップＳ５に戻り、エントランス画面を表示する。
【００８２】
また、プロセッサ３１は、ステップＳ７でウォーキングアイコンが選択されたと判断した場合、ステップＳ２１に進む。ステップＳ２１では、プロセッサ３１は、図９に示す地図画面１５１をモニタ７に表示する。そして、アダプタ１のキャンセルキーの押下に応答して、ステップＳ５に戻り、エントランス画面を表示する。
【００８３】
図９を参照して、地図画面１５１は、地図１５２、これまでに通過した宿場数を表示する通過宿場表示部１５９、次の宿場までの距離を表示する次宿場表示部１６３、スタート地点からの総移動距離を表示する総距離表示部１６１、及びスタート地点からの総歩数を表示する総歩数表示部１６５を含む。地図１５２は、各宿場の位置が示された経路１５３を含む。経路１５３上には、ログインしているユーザの現在位置を示すアイコン１５５及び他のユーザの現在位置を示すアイコン１５７が表示される。ただし、他のユーザに関しては、匿名で示され、個々のユーザを特定する内容は表示されない。なお、プロセッサ３１は、例えば、歩幅を所定値として持っており、これを歩数に乗じて、ユーザの移動距離を算出する。
【００８４】
以上のように、本システムは、各ユーザの様々な情報をモニタ７に表示するので、情報表示システムないしは情報表示装置と呼ぶことができる。
【００８５】
さて、図５は、図２（ａ）のカートリッジ３のプロセッサ３１とアンテナユニット５のＭＣＵ（この図の説明では「ホスト」と呼ぶ。）３４と図２（ｂ）のノード（歩数計９のＭＣＵ５３）との間の通信手順（ログイン手順）を示す図である。
【００８６】
図５を参照して、ステップＳ１０１にて、プロセッサ３１は、データのリードコマンド、ノードＩＤ、及びデータをホスト３４に与える。すると、ステップＳ２０１にて、ホスト３４は、そのリードコマンド、ノードＩＤ及びデータを含むビーコンをノード５３に送信する。ここで、ノードＩＤは、ノード５３、つまり、歩数計９を識別するための情報である。本実施の形態では、例えば、５０個の歩数計９がそれぞれログイン可能であり、それぞれに異なるノードＩＤが割り当てられる。
【００８７】
ノード５３が、自分に割り当てられたノードＩＤが含まれるビーコンを受信した場合、ステップＳ３０１において、ノード５３は、ホスト３４から受け取ったコマンド、自分のノードＩＤ、及びコマンドが要求するデータをホスト３４へ送信する。
【００８８】
ステップＳ２０３にて、ホスト３４は、ノード５３から受信したデータ（ノードＩＤを含む。）をプロセッサ３１へ送信する。ステップＳ１０３にて、プロセッサ３１は、ホスト３４からデータを受信したか否かを判断し、受信していない場合ステップＳ１０５に進み、受信した場合ステップＳ１０７に進む。
【００８９】
ステップＳ１０５では、プロセッサ３１は、ビーコンに含めるノードＩＤを変更してステップＳ１０１に進む。ビーコンに含まれるノードＩＤを持つノード５３が見つからなければ、応答が返ってこないので、ステップＳ１０５でノードＩＤを変更して、別のノード５３を探すのである。この場合、プロセッサ３１は、ノード５３が見つかるまで、５０個のノード５３について、順番に、かつ、巡回的に、ノード５３を探す。一方、ステップＳ１０７では、プロセッサ３１は、ノード５３が見つかったので、受信したノードＩＤに関連付けられたユーザにログインを許可し、そのユーザのためのエントランス画面を表示する（図４のステップＳ５）。
【００９０】
さて、図６は、図２（ａ）のカートリッジ３のプロセッサ３１とアンテナユニット５のＭＣＵ（この図の説明では「ホスト」と呼ぶ。）３４とノード（図２（ｂ）の歩数計９のＭＣＵ５３、図２（ｃ）の体重計１１のＭＣＵ７３、図３（ａ）の血圧計１７のＭＣＵ９３）との間の通信手順（データ転送手順）を示す図である。
【００９１】
図６を参照して、ログイン後のステップＳ１１１にて、プロセッサ３１は、データのリードコマンド、ノードＩＤ、及びデータをホスト３４に与える。すると、ステップＳ２１１にて、ホスト３４は、そのリードコマンド、ノードＩＤ及びデータを含むビーコンをノードに送信する。ここで、ノードＩＤは、ノード、つまり、ログインした歩数計９、体重計１１、及び血圧計１７のそれぞれに割り当てられた識別情報である。
【００９２】
ノードが、自分に割り当てられたノードＩＤが含まれるビーコンを受信した場合、ステップＳ３１１において、ノードは、ホスト３４から受け取ったコマンド、自分のノードＩＤ、及びコマンドが要求するデータをホスト３４へ送信する。
【００９３】
ステップＳ２１３にて、ホスト３４は、ノード５３から受信したデータ（ノードＩＤを含む。）をプロセッサ３１へ送信する。ステップＳ１１３にて、プロセッサ３１は、ホスト３４からデータを受信したか否かを判断し、受信していない場合ステップＳ１１５に進み、受信した場合ステップＳ１１７に進む。ステップＳ１１５では、プロセッサ３１は、ビーコンに含めるノードＩＤを変更してステップＳ１１１に進む。ビーコンに含まれるノードＩＤを持つノードが見つからなければ、応答が返ってこないので、ステップＳ１１５でノードＩＤを変更して、別のノードを探すのである。この場合、プロセッサ３１は、ノードが見つかるまで、３個のノード（ログインした歩数計９、体重計１１、及び血圧計１１３）について、順番に、かつ、巡回的に、ノード５３を探す。一方、ステップＳ１１３でノードが見つかった場合、ステップＳ１１７以降は、そのノードとの間で通信を行う。
【００９４】
以下では、ステップＳ１１３で、歩数計９がノードとして検出された場合を例に挙げて説明する。
【００９５】
ステップＳ１１７にて、プロセッサ３１は、歩数データのリードコマンド、その歩数計９のノードＩＤ、及びデータをホスト３４に与える。すると、ステップＳ２１５にて、ホスト３４は、そのリードコマンド、歩数計９のノードＩＤ及びデータを含むビーコンをノード９に送信する。
【００９６】
従って、ノード９は、自分に割り当てられたノードＩＤが含まれるビーコンを受信する。このため、ステップＳ３１３において、ノード９は、ＥＥＰＲＯＭ５５から時刻情報（日付を含む。）と関連付けられた歩数データを取得して、自分のノードＩＤ及び受け取ったコマンドと共にホスト３４へ送信する。
【００９７】
ステップＳ２１７にて、ホスト３４は、ノード９から受信したデータ（歩数、ノードＩＤを含む。）をプロセッサ３１へ送信する。すると、ステップＳ１１９にて、プロセッサ３１は、受信した歩数データをノードＩＤ（あるいはユーザＩＤ）と関連付けて外部メモリ３３に格納する。そして、ステップＳ１２１にて、受信した歩数データをノードＩＤ（あるいはユーザＩＤ）と共に無線ＬＡＮモジュール４３及びネットワーク４０を経由してサーバ４１へ送信する。すると、サーバ４１は、受信した歩数データを受信したノードＩＤ（あるいはユーザＩＤ）と関連付けてハードディスクドライブに格納する。
【００９８】
なお、ステップＳ１１３で、体重計１１がノードとして検出された場合は、ステップＳ１１７以降の説明において、ノード（歩数計）９をノード（体重計）１１と読み替え、歩数を体重と読み替え、ＥＥＰＲＯＭ５５をＥＥＰＲＯＭ７５と読み替える。また、ステップＳ１１３で、血圧計１７がノードとして検出された場合は、ステップＳ１１７以降の説明において、ノード（歩数計）９をノード（血圧計）１７と読み替え、歩数を血圧と読み替え、ＥＥＰＲＯＭ５５をＥＥＰＲＯＭ９５と読み替える。
【００９９】
さて、図７は、図４のステップＳ１７のメール処理の流れを示すフローチャートである。図７を参照して、ステップＳ５０３にて、サーバ４１は、図６のステップＳ１２１で送信されたデータ（歩数、体重、及び血圧の記録）に基づいて、所定のアルゴリズムに従って、ユーザ毎に運動処方を作成する。なお、この場合、医師等の人間が運動処方を作成及び入力してもよい。ステップＳ５０５にて、サーバ４１は、ユーザ毎に作成した運動処方をネットワーク４０及び無線ＬＡＮモジュール４３を介して電子メールとしてプロセッサ３１に送信する。すると、プロセッサ３１は、受け取った電子メールをユーザ毎に分類して、ユーザ毎に格納する。
【０１００】
ここで、ステップＳ４０３〜Ｓ４１５の処理は、図４のステップＳ１７のメール処理の詳細である。従って、あるユーザがログインして、メールアイコンを選択した状態である。さらに、ユーザがメールリストから運動処方を含むメールを選択したものとする。従って、ステップＳ４０３では、プロセッサ３１は、選択されたメールの内容、つまり、運動処方をモニタ７を表示する。また、運動処方を表示する画面は、所定の操作指示を含む。
【０１０１】
ステップＳ４０５にて、プロセッサ３１は、所定の操作指示が実行されたか否かを判断し、実行されていない場合ステップＳ４０３に戻り、実行された場合ステップＳ４０７に進み、エクササイズモードに入る。所定の操作指示は、ユーザにアダプタ１のキーを操作して、画面中の所定のアイコンを選択させる指示である。
【０１０２】
そして、ステップＳ４０７では、プロセッサ３１は、エクササイズ処理を開始する。ステップＳ４０９にて、プロセッサ３１は、ユーザに対してマット１５の上での動き（踏込み動作）を指示する映像（ビデオ信号ＶＤ）を生成する。そして、ステップＳ４１１にて、プロセッサ３１は、その映像をモニタ７に与え表示する。ユーザは、モニタ７に表示された指示に応答して、マット１５の上で踏込み動作を行う。すると、ステップＳ６０１にて、マット１５は、フットスイッチＳＷ１〜ＳＷ４のオン／オフ情報をプロセッサ３１に送信する。すると、ステップＳ４０９にて、プロセッサ３１は、入力されたマット１５のフットスイッチＳＷ１〜ＳＷ４のオン／オフ情報に従って、インタラクティブな映像（ビデオ信号ＶＤ）を生成する。そして、ステップＳ４１１にて、プロセッサ３１は、その映像をモニタ７に与え表示する。ステップＳ４１３にて、プロセッサ３１は、エクササイズが終了したか否かを判断して、終了した場合ステップＳ４１５に進み、終了していない場合はステップＳ４０９に戻る。ステップＳ４１５では、プロセッサ３１は、エクササイズの結果及びノードＩＤ（ないしはユーザＩＤ）を無線ＬＡＮモジュール４３及びネットワーク４０を介してサーバ４１へ送信する。
【０１０３】
さて、ステップＳ５０７では、サーバ４１は、プロセッサ３１から送信されたユーザのエクササイズ結果及びノードＩＤを受信し、そのハードディスクドライブに格納する。ステップＳ５０９にて、サーバ４１は、所定のアルゴリズムに従って、エクササイズ結果に基づいてコメントを作成する。なお、この場合、医師等の人間がコメントを作成及び入力してもよい。ステップＳ５１１にて、サーバ４１は、コメントをネットワーク４０及び無線ＬＡＮモジュール４３を介して電子メールとしてプロセッサ３１へ送信する。
【０１０４】
以上のように、エクササイズモードでは、ユーザに運動を行わせる。従って、本システムを運動支援システムないしは運動支援装置と呼ぶこともできる。
【０１０５】
次に、図７のマット１５とプロセッサ３１との間の通信をもう少し詳しく説明する。
【０１０６】
図８は、図２（ａ）のカートリッジ３のプロセッサ３１とアンテナユニット５のＭＣＵ３４とノード（図３（ｂ）のマット型コントローラ１５）との間の通信手順（データ転送手順）を示す図である。
【０１０７】
図８を参照して、ステップＳ１３７にて、プロセッサ３１は、フットスイッチＳＷ１〜ＳＷ４のオン／オフデータのリードコマンド、マット１５のノードＩＤ、及びデータをホスト３４に与える。すると、ステップＳ２３５にて、ホスト３４は、そのリードコマンド、マット１５のノードＩＤ及びデータを含むビーコンをノード１５に送信する。
【０１０８】
従って、ノード１５は、自分に割り当てられたノードＩＤが含まれるビーコンを受信する。このため、ステップＳ３２３において、ノード１５は、フットスイッチＳＷ１〜ＳＷ４のオン／オフデータを取得して、自分のノードＩＤ及び受け取ったコマンドと共にホスト３４へ送信する。
【０１０９】
ステップＳ２３７にて、ホスト３４は、ノード１５から受信したデータ（フットスイッチＳＷ１〜ＳＷ４のオン／オフデータ、ノードＩＤを含む。）をプロセッサ３１へ送信する。すると、ステップＳ１３９にて、プロセッサ３１は、受信したフットスイッチＳＷ１〜ＳＷ４のオン／オフデータに従って、インタラクティブなビデオ映像を生成して、モニタ７に表示する。ステップＳ１３９の処理は図７のステップＳ４０９及びＳ４１１の処理に対応する。ステップＳ１４１にて、プロセッサ３１は、エクササイズが終了したか否かを判断し、終了していない場合ステップＳ１３７に進み、終了した場合、データ取得の処理を終了する。
【０１１０】
さて、以上のように、本実施の形態によれば、各ユーザにログインさせ、ユーザごとに体重等の身体情報を記録する。このように、ログインすることにより各ユーザのプライバシーが確保されるので、本システムとユーザとのインタフェース（モニタ７、アダプタ１、カートリッジ３、体重計１１、マット１５、および血圧計１７）を公共の場に配置できる。従って、身体情報を測定するためだけに、インタフェースの設置場所に赴く必要がなく、また、時間を確保する必要もない。つまり、何かのついでに測定が可能であり、煩わしさを極力除くことができる。さらに、一日に複数回通るような公共の場に設置すれば、ユーザにとって一日に複数回測定することも容易に可能であり、サンプリング数が増加して、身体情報の管理をより精細に行うことができる。
【０１１１】
ちなみに、各ユーザの個人宅にインタフェースを設置する場合、例えば、テレビを見ながらの測定など、何かをしながら測定するケースは想定できるが、テレビを見ている途中に別のことをしようという気になれないのが通常であり、また、家のスペース等を考慮すると、廊下に設置して別の部屋へ行く途中で測定する等、何かのついでに測定するケースを想定することは難しい。
【０１１２】
さて、しかも、本実施の形態によれば、職場の同僚、患者同士、あるいは入所者同士といった知人・友人が同一場所で身体情報を測定できるので、同じ条件（環境などの物理的な条件を含む。）及び内容で健康管理を行っているという一体感が高まり、また、他人が測定する様子が目に入るので、自分が測定することに対する動機ともなる。
【０１１３】
さらに、各ユーザは、自分の歩数計９を用いてログインするので、必然的に自分の行動情報（歩数）の記録をインタフェースの設置場所に持って行くことになる。このため、身体情報だけでなく、行動情報もまた、ついで、かつ、手軽に外部メモリ３３に記録させ管理することができる。このように、行動情報を記録し、管理することは、行動情報（歩数）の発生に必要な歩行等の運動を行うことに対する動機となる。
【０１１４】
以上のように、本実施の形態によれば、ユーザの運動の継続に対して効果的な動機を与えることができ、かつ、歩数等の行動情報及び体重等の身体情報を継続的に管理することを支援できる。また、本実施の形態では、複数の身体情報を測定する機器（体重計１１及び血圧計）を設置しているので、複数の異なる身体情報（体重及び血圧）を継続的に管理することを支援できる。
【０１１５】
また、本実施の形態では、マット１５によりユーザの踏込み動作を検出できるので、その動きを入力としたインタラクティブなコンテンツを提供でき、インタフェースの設置場所でユーザに運動を行わせることができる。
【０１１６】
さらに、本実施の形態では、プロセッサ３１が記録したユーザの行動情報及び身体情報が、グラフ等によって、モニタ７に表示される。このため、ユーザは、これらの情報を簡易に確認できる。
【０１１７】
さらに、本実施の形態では、各ユーザの行動情報及び身体情報がサーバ４１に転送されるので、医療や健康等の専門家が、その情報を分析し、該当するユーザに適切な指示、アドバイス、あるいはコメント等を与えることができる。また、サーバ４１は、受信したユーザの行動情報及び身体情報に関する情報（例えば、行動情報及び身体情報の基づく運動処方やコメント等）をプロセッサ３１に送信し、プロセッサ３１は、これらの情報をモニタ７に表示するので、ユーザは、行動情報及び身体情報の管理に役立てることができる。
【０１１８】
また、本実施の形態によれば、ユーザが運動処方を見る時に、エクササイズモードに入ることができるので、運動処方の確認とそれに従った運動の実行とをシームレスに結合できる。その結果、従来に比べて、ユーザによる運動の継続を効果的に支援できる。
【０１１９】
ちなみに、従来では、運動処方と運動の実行とが切り離されており、運動処方は見ても、実際に運動をしないというケースが多かった。例えば、ネットワーク経由でユーザの端末に運動処方を送信するが、その運動処方が、５ｋｍのジョギングを指示している場合である。この場合は、ユーザは、運動処方を確認した後、適宜ジョギングをしなければならないが、いつするかは自由なので、結局しないことも多くなる。
【０１２０】
さらに、本実施の形態によれば、歩数等の行動情報や体重等の身体情報は、ログイン後にしか表示されないので、基本的にログインしたユーザ本人しか見ることができない。しかし、図９に示すように、あるユーザのログイン後であっても、そのユーザは、他のユーザの行動情報（歩数）を匿名で確認できる。その結果、各個人のプライバシーを確保しながら、他人との相対的な、本人の状態を確認できる。このため、競争心が高まり、行動情報（歩数）の発生に必要な歩行等の運動を行うことに対する動機を与えることができる。
【０１２１】
なお、本発明は、上記の実施の形態に限られるものではなく、その要旨を逸脱しない範囲で種々の態様において実施することが可能であり、例えば、以下のような変形も可能である。
【０１２２】
（１）上記では、プロセッサ３１は、ログイン後に歩数データを取得した。ただし、プロセッサ３１は、ログインを許可する際に、ノードＩＤと共に、歩数計９から歩数データを取得し、ログインが許可されたユーザの情報として外部メモリ３３に記録することもできる。このように、ログイン時に歩数データの転送を行うので、ログインと歩数データの転送とを別個に行う必要がなく、ユーザの利便性を向上できる。
【０１２３】
（２）図９では、歩数を地図に表示した。ただし、その他の行動情報を表示することもできる。また、身体情報を表示することもできる。この場合、あるユーザのログイン後であっても、そのユーザは、他のユーザの身体情報を匿名で確認できる。その結果、各個人のプライバシーを確保しながら、他人との相対的な、本人の状態を確認できる。このため、競争心が高まり、体重等の身体情報を適切に管理することに対する動機を与えることができる。もちろん、行動情報及び身体情報の双方を表示することもできる。また、数値を表示することもできるが、ログインしたユーザの相対的な位置づけが分かるのであれば、数値に限られず、それに相関した表記も可能である。また、表記態様は、地図に限定されないことは言うまでもない。
【０１２４】
（３）上記では、行動情報として歩数を採用し、その計測装置として歩数計９を採用した。ただし、行動情報を計測する携帯可能な装置は、これに限定されず、他の行動情報を計測するものであってもよいし、そのうちの幾つかが複合したものでもよい。また、上記では、身体情報として体重及び血圧を採用し、その計測装置として体重計１１及び血圧計１７を採用した。ただし、身体情報を計測する装置は、これに限定されず、他の身体情報を計測するものであってもよいし、そのうちの幾つかが複合したものでもよい。また、身体情報を計測する装置は複数でなく一種類でもよい。
【０１２５】
（４）上記では、ユーザの動き情報として踏み込み動作を採用し、その計測装置としてマット１５を採用した。ただし、動き情報を計測する装置は、これに限定されず、他の動き情報を計測するものであってもよいし、そのうちの幾つかが複合したものでもよい。また、動きを検出する方法として、他の方法を採用することもできる。例えば、加速度センサを内蔵したコントローラをユーザが動かし、そのときの加速度に基づいてユーザの動きを検出する。また、例えば、ユーザの動きをカメラで撮影し、その画像を解析して、ユーザの動きを検出する。
【０１２６】
（５）図４のステップＳ１７のメール処理において、エクササイズモードに入るための所定の操作指示をモニタ７に表示した。ただし、音声により指示することもできるし、映像及び音声の双方で指示することもできる。また、図７では、ステップＳ４０９のエクササイズ処理は、外部メモリ３３に格納されたプログラムを実行することにより、カートリッジ３のプロセッサ３１が行った。ただし、サーバ４１がその処理を行い、モニタ７のブラウザ上で映像を表示してもよい。
【０１２７】
また、上記では、エクササイズモードに入るための所定の操作指示は、アダプタ１のキーを操作することを指示するものであった。ただし、マット１５の特定のフットスイッチを踏むといった、動き情報を検出する装置に対する操作を指示してもよい。この場合は、動き情報を検出する装置が特定の動きを検出したことをカートリッジ３のプロセッサ３１に伝達し、これを受けて、カートリッジ３のプロセッサ３１は、エクササイズモードに入る。
【０１２８】
（６）上記では、カートリッジ方式を採用したが、カートリッジ３とアダプタ１とが一体として形成されてもよい。
【産業上の利用可能性】
【０１２９】
本発明は、健康及び医療の分野で有用である。特に、事業所等に配置して、集団での健康管理に有用である。
【符号の説明】
【０１３０】
１…アダプタ、３…カートリッジ、５…アンテナユニット、６…ＡＶケーブル、７…モニタ、９…歩数計、１１…体重計、１３…スイッチ、１５…マット型コントローラ、１７…血圧計、１９…カフ、２１…台、４０…ネットワーク、４１…サーバ、ＳＷ１〜ＳＷ４…フットスイッチ。
【図１】
2010211396.tif 000003
【図２】
2010211396.tif 000004
【図３】
2010211396.tif 000005
【図４】
2010211396.tif 000006
【図５】
2010211396.tif 000007
【図６】
2010211396.tif 000008
【図７】
2010211396.tif 000009
【図８】
2010211396.tif 000010
【図９】
2010211396.tif 000011